【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
データ送信装置から送信されるデータを非同期ネットワークを経由して受信するデータ受信装置が、前記データ送信装置から送信されたデータを蓄積するバッファ手段と、該バッファ手段に蓄積されたデータ量を計測するデータ量計測手段と、前記バッファ手段に蓄積されているデータを読み出す読み出し手段と、前記データ量計測手段にて計測したデータ量に基づいて、前記読み出し手段が前記バッファ手段からデータを読み出すのに用いるクロックを再生する読み出し速度制御手段とを備え、該読み出し速度制御手段が、前記データ量計測手段が出力するデータ量と所定の目標値との差を計算するデータ量差計算部と、該データ量差計算部から逐次出力されるデータ量差の重み付き平均値を計算する重み付き平均値計算部と、該重み付き平均値計算部から逐次出力される重み付き平均値の変動量を計算する重み付き平均値変動量計算部と、前記重み付き平均値計算部から出力される重み付き平均値と前記重み付き平均値変動量計算部から出力される重み付き平均値の変動量とに基づいて前記クロックを再生するクロック再生部とを有することを特徴とするデータ受信装置。
【請求項２】
前記クロック再生部は、前記重み付き平均値計算部から出力される重み付き平均値を０に近づけるようにクロックを再生することを特徴とする請求項１に記載のデータ受信装置。
【請求項３】
前記重み付き平均値変動量計算部は、前記重み付き平均値計算部がある時点で計算した重み付き平均値とその前の時点で計算した重み付き平均値との差を、その両時点間の時間間隔で除した値である重み付き平均値傾き量を前記重み付き平均値の変動量として出力することを特徴とする請求項１又は２に記載のデータ受信装置。
【請求項４】
前記クロック再生部は、前記重み付き平均値変動量計算部から出力される重み付き平均値傾き量に基づいて、前記重み付き平均値計算部から出力される重み付き平均値を０に近づけるようにクロックを再生することを特徴とする請求項３に記載のデータ受信装置。
【請求項５】
前記クロック再生部は、前記重み付き平均値計算部から出力される重み付き平均値が０に等しい、または０より大きく、かつ前記重み付き平均値変動量計算部から出力される重み付き平均値傾き量が０より大きい場合には、再生するクロックの周波数を増加させ、前記重み付き平均値計算部から出力される重み付き平均値が０に等しい、または０より小さく、かつ前記重み付き平均値変動量計算部から出力される重み付き平均値傾き量が０より小さい場合には、再生するクロックの周波数を減少させ、前記重み付き平均値計算部から出力される重み付き平均値が０より大きく、かつ前記重み付き平均値変動量計算部が出力する重み付き平均値傾き量が０に等しい場合には、再生するクロックの周波数を増加させ、前記重み付き平均値計算部から出力される重み付き平均値が０より小さく、かつ前記重み付き平均値変動量計算部から出力される重み付き平均値傾き量が０に等しい場合には、再生するクロックの周波数を減少させ、前記重み付き平均値計算手段から出力される重み付き平均値が０に等しく、かつ前記重み付き平均値変動量計算部から出力される重み付き平均値傾き量が０に等しい場合には、再生するクロックの周波数を変更しないことを特徴とする請求項４に記載のデータ受信装置。
【請求項６】
前記クロック再生部が再生するクロックの周波数の変更量△ｆが、前記重み付き平均値計算部から出力される重み付き平均値Ｍと、前記重み付き平均値変動量計算部から出力される重み付き平均値傾き量Ｄと、クロックの再生制御を開始してからの経過時間Ｔとの関数Ｆ（Ｍ，Ｄ，Ｔ）である場合、つまり、△ｆ＝Ｆ（Ｍ，Ｄ，Ｔ）である場合に、関数Ｆ（Ｍ，Ｄ，Ｔ）の絶対値はＴに関して広義単調減少であることを特徴とする請求項５に記載のデータ受信装置。
【請求項７】
データ送信装置から送信されるデータを非同期ネットワークを経由して受信するデータ受信装置が前記データ送信装置のクロックを、受信するデータの速度に基づいて再生するクロック再生方法において、当該クロック再生方法が、
前記データ送信装置から送信されたデータをバッファ手段に蓄積するデータ蓄積ステップと、
前記バッファ手段に蓄積されたデータ量を計測するデータ量計測ステップと、
該データ量計測ステップにて計測したデータ量と所定の目標値との差を計算するデータ量差計算ステップと、
該データ量差計算ステップにて逐次得られるデータ量差の重み付き平均値を計算する重み付き平均値計算ステップと、
該重み付き平均値計算ステップにて逐次得られる重み付き平均値の変動量を計算する重み付き平均値変動量計算ステップと、
を有し、前記重み付き平均値計算ステップにて得られる重み付き平均値と前記重み付き平均値変動量計算ステップにて出力される重み付き平均値の変動量とに基づいて、前記データバッファからデータを読み出す速度に用いるクロックを再生することを特徴とするクロック再生方法。
【請求項８】
前記クロックの再生に当り、前記重み付き平均値計算ステップにて得られる重み付き平均値を０に近づけるようにクロックを再生することを特徴とする請求項７に記載のクロック再生方法。
【請求項９】
前記重み付き平均値変動量計算ステップは、前記重み付き平均値計算ステップがある時点で計算した重み付き平均値とその前の時点で計算した重み付き平均値との差を、その両時点間の時間間隔で除した値である重み付き平均値傾き量を前記重み付き平均値の変動量として得ることを特徴とする請求項７又は８に記載のクロック再生方法。
【請求項１０】
前記クロックの再生に当り、前記重み付き平均値変動量計算ステップにて得られる重み付き平均値傾き量に基づいて、前記重み付き平均値計算ステップにて得られる重み付き平均値を０に近づけるようにクロックを再生することを特徴とする請求項９に記載のクロック再生方法。
【請求項１１】
前記クロックの再生に当り、前記重み付き平均値計算ステップにて得られる重み付き平均値が０に等しい、または０より大きく、かつ前記重み付き平均値変動量計算ステップにて得られる重み付き平均値傾き量が０より大きい場合には、再生するクロックの周波数を増加させ、前記重み付き平均値計算ステップにて得られる重み付き平均値が０に等しい、または０より小さく、かつ前記重み付き平均値変動量計算ステップにて得られる重み付き平均値傾き量が０より小さい場合には、再生するクロックの周波数を減少させ、前記重み付き平均値計算ステップにて得られる重み付き平均値が０より大きく、かつ前記重み付き平均値変動量計算ステップにて得られる重み付き平均値傾き量が０に等しい場合には、再生するクロックの周波数を増加させ、前記重み付き平均値計算ステップにて得られる重み付き平均値が０より小さく、かつ前記重み付き平均値変動量計算ステップにて得られる重み付き平均値傾き量が０に等しい場合には、再生するクロックの周波数を減少させ、前記重み付き平均値計算ステップにて得られる重み付き平均値が０に等しく、かつ前記重み付き平均値変動量計算ステップにて得られる重み付き平均値傾き量が０に等しい場合には、再生するクロックの周波数を変更しないことを特徴とする請求項１０に記載のクロック再生方法。
【請求項１２】
前記再生するクロックの周波数の変更量△ｆが、前記重み付き平均値計算ステップにて得られる重み付き平均値Ｍと、前記重み付き平均値変動量計算ステップにて得られる重み付き平均値傾き量Ｄと、クロックの再生制御を開始してからの経過時間Ｔとの関数Ｆ（Ｍ，Ｄ，Ｔ）である場合、つまり、△ｆ＝Ｆ（Ｍ，Ｄ，Ｔ）である場合に、関数Ｆ（Ｍ，Ｄ，Ｔ）の絶対値をＴに関して広義単調減少させることを特徴とする請求項１１に記載のクロック再生方法。
【請求項１３】
請求項７に記載の各ステップの処理をコンピュータに実行させるためのプログラム。
【請求項１４】
請求項１３に記載のプログラムを記録した記憶媒体。
【手続補正２】
【補正対象書類名】明細書
【補正対象項目名】００３２
【補正方法】変更
【補正の内容】
【００３２】
データ受信装置４内のバッファ手段１０のデータ量が指数関数的に所定の目標値に漸近する場合、データ量と目標値との差の第i回目の観測値ｄiは次式で表される。
ｄi＝ａi＋εi，０＜ａ＜１    （４）
ここで、εiは通信網３の擾乱等に起因するジッタ等の影響による誤差を表わす項であり、これは平均化処理により無視できるものである。